(57)【要約】      （修正有）【課題】電気柵の支柱と電線支持部材の設置時や管理上にかかる労力と時間が少なくて済む電気柵用碍子付支柱を提供する。【解決手段】電気柵用碍子付支柱２０の頭部３０を木づちなどで叩き、１段目の碍子部２９が地表から約２０ｃｍほどの高さになるまで打ち込む。そうすると、電気柵用碍子付支柱２０の打ち込み深さにはばらつきがでないので、碍子部２９の高さを調整する必要がない。さらに、ただちに裸電線を碍子へ係止することができる。【選択図】図２
0003175300.tif 000002
【実用新案登録請求の範囲】
【請求項１】
表面が絶縁性の材料でつくられた支柱部（２０）の先のとがった先端（２３）から２５ｃｍ以上の位置に、
両端に開口部（２３）が形成されていると共に、一端に中心軸線に対して略平行にスリット（２４）が設けられた円筒形状の本体（２５）と、
前記本体（２５）の外側表面に前記スリット（２４）を挟んで一方側と他方側に突出形成された構成体を有して構成された取付部材（２６）と、
該取付部材（２６）に着脱可能に取付けられると共に、前記構成体の離間方向における同取付部材（２６）の長さより小さい径を有するキャップ部材（２７）と、
前記本体（２５）の中心軸線と略平行に位置する第１の平板部材及び、該第１の平板部材と前記本体の外側表面とを接続する第１の接続部材を有する第１の突起部材（２８Ａ）と、
前記本体（２５）の中心軸線と略平行に配置された第２の平板部材及び、該第２の平板部材と前記本体の外側表面とを接続すると共に前記本体の長手方向において前記第１の接続部材の位置と異なる位置に配置された第２の接続部材を有し、さらに前記第１の突起部材から離れて配置された、第２の突起部材（２８Ｂ）とを備える碍子を一個以上取り付けた電気柵用碍子付支柱。
【考案の詳細な説明】
【技術分野】
【０００１】  本考案は、牛等の畜産動物が牧場以外へ脱出するのを防止するため、あるいは田畑に猪、鹿等の害獣が侵入するのを防止するために、牧場あるいは田畑の周囲に設置される電気柵の支柱に関するものである。
【背景技術】
【０００２】  従来、例えば中山間地域の農村地帯では、田畑を荒らす猪、鹿等の害獣を電気ショックで撃退するために、田畑の周囲に裸電線を張り巡らしこの裸電線に衝撃電圧を印加するようにした電気柵が多く使用されている。【０００３】  この電気柵は猪用であれば、図１に示すように、田畑の周囲に打設された支柱（２）に取り付けられた電線支持部材（１ａ）、電線支持部材（１ｂ）に裸電線（３ａ）、裸電線（３ｂ）を係止して、裸電線（３ａ）、裸電線（３ｂ）を田畑の周囲に張設し、その裸電線（３ａ）、裸電線（３ｂ）を約５０ｍごとに裸電線からなる上下結線（４）で結線したものである。【０００４】  地表より１段目の裸電線（３ｂ）は地表より約２０ｃｍ程度、２段目の裸電線（３ａ）は裸電線（３ｂ）の上方約２０ｃｍ程度の位置に張設されている。そして、この張設された裸電線（３ａ）、裸電線（３ｂ）に衝撃電圧発生装置（５）より発生された衝撃電圧が印加されている。【０００５】  田畑に侵入しようとして、この張設された裸電線（３ａ）もしくは裸電線（３ｂ）に接触した猪等の害獣には図中の矢印のように衝撃電圧発生装置（５）の出力端子（６）、出力線（７）、裸電線（３ａ）、上下結線（４）、裸電線（３ｂ）、猪（８）、地中（９）、アース棒（１０）、アース線（１１）、アース端子（１２）の順路で衝撃電流が流れ、猪（８）は電気ショックにより電撃を受け、田畑へ侵入する意欲を失い、侵入をあきらめる。【０００６】  通常、電気柵用支柱や電線支持部材は次の３つの組み合わせで用いられることが多い。
・例Ａとして、樹脂皮膜鋼管を田畑に打設、その後、樹脂皮膜鋼管に電線支持部材として特許文献１のように、本体が絶縁性の樹脂で成形された碍子を取り付ける。
・例Ｂとして、特許文献２のように、絶縁性の支柱に電線支持部材として導電性のフックがあらかじめ取り付けてあるフック付支柱を田畑に打設する。
・例Ｃとして、特許文献３のように、絶縁性の支柱に電線支持部材として絶縁性の碍子があらかじめ固定されている碍子固定支柱を田畑に打設する。【０００７】  上記例Ａ、例Ｂ、例Ｃにかかる作業または管理とその時の問題を次ぎに示す。
・例Ａの場合、
樹脂皮膜鋼管支柱を田畑に打設する作業では、支柱の打ち込み深さにばらつきがでる。
また、樹脂皮膜鋼管支柱に碍子を取付ける作業では、多くの労力と時間を要する。
また、樹脂皮膜鋼管支柱に取付けられた碍子の高さを調整する作業でも、多くの労力と時間を要する。【０００８】・上記例Ｂの場合、
管理する上で、フック付支柱の一段目の裸電線と二段目の裸電線の間に裸電線を増設するためにフックを取り付ける作業の場合、簡単にフックを取り付けられない。取り付けるには、次の作業が必要である。
まず、裸電線を係止している二段目のフック全てを増設しようとする位置まで下げる。
次に、下げられたフックが取り付けてあった元の二段目の全ての位置に、新たにフックを取り付ける。【０００９】・上記例Ｃの場合、
管理する上で、各段の裸電線の高さ調整しようとしても、裸電線の取付部が固定されているので、各段の裸電線の高さ調整ができない。その結果、高さ調整したい場所に碍子を増設しなければならない。同様に、裸電線のたるみがとれない。【００１０】
【先行技術文献】
【特許文献】
【００１１】
【特許文献１】意匠登録第１１６７６０７号
【特許文献２】実用新案登録第３１５８８７５号
【特許文献３】特許登録第４３０３７８０号
【考案の概要】
【考案が解決しようとする課題】
【００１２】  このように、従来の電気柵を設置するときにかかる作業において、
上記例Ａのように、支柱には樹脂皮膜鋼管、電線支持部材には本体が絶縁性の樹脂で成形された碍子の組み合わせの場合では、
樹脂皮膜鋼管支柱を田畑に打設する作業では、支柱の打ち込み深さにばらつきがでる。
また、樹脂皮膜鋼管支柱に碍子を取付ける作業では、多くの労力と時間を要する。
また、樹脂皮膜鋼管支柱に取付けられた碍子の高さを調整する作業でも、多くの労力と時間を要する。という問題があった。【００１３】  また、従来の電気柵を管理するときにかかる作業において、
上記例Ｂのように、フック付支柱を用いた場合では、
フック付支柱の一段目の裸電線と二段目の裸電線の間に裸電線を増設するためにフックを取り付ける作業の場合、簡単にフックを取り付けられない。取り付けるには、裸電線を係止している二段目のフック全てを増設しようとする位置まで下げる。次に、下げられたフックが取り付けてあった元の二段目の全ての位置に、新たにフックを取り付けねばならない、という問題があった。【００１４】  また、上記例Ｃの碍子固定支柱を用いた場合では、
各段の裸電線の高さ調整ができないので、高さ調整したい場所に碍子を増設せねばならない。また、裸電線のたるみがとれない。という問題があった。
このように、従来の電気柵用支柱や電線支持部材は、設置時または管理時に多くの労力と時間がかかり、不便であったので、電気柵用支柱と電線支持部材の設置時や管理上にかかる労力と時間が必要最小限で済む支柱と電線支持部材が求められていた。
本考案は、以上の点をふまえて考案されたものであり、電気柵の支柱と電線支持部材の設置時や管理上にかかる労力と時間が少なくて済む電気柵用碍子付支柱を提供することを目的とする。
【課題を解決するための手段】
【００１５】上記の目的を達成するために、図２に示す本考案の電気柵用碍子付支柱（２０）は、表面が絶縁性の材料でつくられた支柱部（２１）の先端（２２）から２５ｃｍ以上の位置に、図３に示すように、両端に開口部（２３）が形成されていると共に、一端に中心軸線に対して略平行にスリット（２４）が設けられた円筒形状の碍子部の本体（２５）と、前記本体（２５）の外側表面に前記スリットを挟んで一方側と他方側に突出形成された構成体を有して構成された取付部材（２６）と、該取付部材（２６）に着脱可能に取付けられると共に、前記構成体の離間方向における同取付部材（２６）の長さより小さい径を有するキャップ部材（２７）と、前記取付部材（２６）とは反対方向であると共に、前記本体の長手方向において前記取付部材（２６）の位置と異なる位置の前記本体の外側表面に突出形成された突起部材（２８Ａ、２８Ｂ）とを備えた碍子部（２９）を、図２に示すように１個以上締着させて備える。【００１６】  ここで、前記支柱部（２１）の先端（２２）から２５ｃｍ以上の位置に碍子部（２９）を締着させているので、本考案の電気柵用碍子付支柱（２０）を田畑に打ち込むときには、１段目の碍子部（２９）が目安となる。その１段目の碍子部（２９）の高さが地表から約２０ｃｍほどのところまで電気柵用碍子付支柱（２０）を打ち込めばよいので、支柱の打ち込み深さにばらつきがでない。
また、碍子部（２９）を１個以上締着させて備えているので、碍子部（２９）の高さを調整する必要がない。
また、前記取付部材（２６）とは反対方向であると共に、前記碍子部の本体（２５）の長手方向において前記取付部材（２６）の位置と異なる位置の前記碍子部の本体（２５）の外側表面に突出形成された突起部材（２８Ａ、２８Ｂ）によって、電気柵用碍子付支柱（２０）に碍子を取り付ける必要はないので、電気柵用碍子付支柱（２０）を地面に打設した後は、ただちに裸電線を碍子部（２９）の突起部材（２８Ａ、２８Ｂ）へ係止することができる。【００１７】  また、両端に開口部（２３）が形成されていると共に、一端に中心軸線に対して略平行にスリット（２４）が設けられた円筒形状の碍子部の本体（２５）と、前記碍子部の本体（２５）の外側表面に前記スリット（２４）を挟んで一方側と他方側に突出形成された構成体を有して構成された取付部材（２６）によって、前記スリット（２４）を挟んで一方側と他方側に突出形成された構成体同士の隔たりは電気柵用碍子付支柱（２０）の直径よりも広げることができるので、その状態で電気柵用碍子付支柱（２０）に挿着し、取付部材（２６）に着脱可能に取付けられると共に、前記構成体の離間方向における同取付部材（２６）の長さより小さい径を有するキャップ部材（２７）によって、碍子部（２９）の取付部材（２６）を螺着して碍子部（２９）を取り付けることができる。
また、上記碍子部（２９）の取付部材（２６）に螺着されたキャップ部材（２７）をゆるめて碍子部（３０）を上下に移動できるので、各段の裸電線の高さを調整することもできる。
また、同様に取付部材（２６）に螺着されたキャップ部材（２７）をゆるめて、電気柵用碍子付支柱（２０）を軸に碍子部（２９）を旋転させると裸電線のたるみをとることもできる。
【考案の効果】
【００１８】  本考案に係る電気柵用碍子付支柱は、設置時には、
支柱の打ち込み深さにばらつきがでない。
また、碍子の高さを調整する必要がない。
また、支柱を地面に打設した後は、ただちに裸電線を碍子へ係止することができる。
さらに、管理上においては、
碍子と碍子の間に碍子を追加して取り付けることができる。
また、各段の裸電線の高さを調整することもできる。
また、裸電線のたるみをとることもできる。
【図面の簡単な説明】
【００１９】
【図１】電気柵の概要図
【図２】本考案の電気柵用碍子付支柱
【図３】本考案の電気柵用碍子付支柱の碍子部の本体とキャップ部材の斜視図
【図４】本考案の電気柵用碍子付支柱を田畑に打ち込んだ概要図
【図５】本考案の電気柵用碍子付支柱に裸電線を係止した概要図
【図６】本考案の電気柵用碍子付支柱に碍子部本体を挿入中の上面図
【図７】本考案の電気柵用碍子付支柱に碍子部本体を挿入した上面図
【図８】本考案の電気柵用碍子付支柱の碍子部本体にキャップ部材を螺着した上面図
【図９】本考案の電気柵用碍子付支柱の碍子部キャップ部材をゆるめた上面図
【図１０】裸電線がたるんだ概要図
【図１１】本考案の電気柵用碍子付支柱の碍子部を旋転させ裸電線のたるみをとった概要図
【考案を実施するための形態】
【００２０】  以下、実施例にもとづき電気柵用碍子付支柱の設置にかかる作業の本考案の実施の形態を説明する。
１．図２に示す本考案の電気柵用碍子付支柱（２０）の頭部（３０）を木づちなどで叩き、１段目の碍子部（２９）が地表（３１）から約２０ｃｍほどの高さになるまで打ち込む。
そうすると、図４に示すように、電気柵用碍子付支柱（２０）の打ち込み深さにはばらつきがでない。
また、碍子部（２９）の高さを調整する必要がない。
また、ただちに裸電線を碍子へ係止することができる。
【００２１】２．図５に示すように、本考案の電気柵用碍子付支柱の碍子部の突起部材（２８Ａ、２８Ｂ）に裸電線を係止する。
以下、実施例にもとづき電気柵用碍子付支柱（２０）の電気柵設置後の管理にかかる作業の本考案の実施の形態を説明する。
イ．上段の裸電線と下段の裸電線の間隔が広すぎると、猪などの害獣が裸電線に触れずに田畑に侵入する原因となる。この場合、上段の裸電線と下段の裸電線の間に裸電線を増設するために、まずは、支柱に碍子部を取り付ける必要がある。
まず、図６に示すように、用意した碍子部の本体（２５）のうち取付部材（２６）の突出形成された構成体同士の間隔を広げて支柱部（２１）の任意のところに押し当てていくと、図７に示すように、碍子部の本体（２５）は支柱部（２１）に挿着される。
次に、図８に示すように、碍子部の本体（２５）の取付部材（２６）に碍子部キャップ部材（２７）を螺着すると、碍子部の本体（２５）のスリット（２４）部分が狭くなり、碍子部の本体（２５）は支柱部（２１）に締着する。
その後、突出部材（２８Ａ、２８Ｂ）への裸電線の増設となる。
結果として、上段の裸電線と下段の裸電線の間に裸電線を増設できる。
ロ．上段の裸電線と下段の裸電線の間隔が少し広いと、猪などの害獣が裸電線に触れずに田畑に侵入する原因となる。この場合、裸電線が係止されている碍子部を任意の高さに調整する必要がある。
まず、図９に示すように、碍子部のキャップ部材（２７）をゆるめていくと、碍子部の本体（２５）のスリット（２４）部分が広くなり、碍子部の本体（２５）は支柱に締着された状態から挿着した状態へと変る。
次に、裸電線が係止されている碍子部（２９）を任意の高さに調整し、碍子部のキャップ部材（２７）を螺着していくと、前記イで説明のとおり、図８のようになり、碍子部の本体（２５）は支柱に締着する。
結果として、裸電線を任意の高さに調整できる。
ハ．裸電線は月日が経つにつれて、図１０に示すように、たるみがでて、漏電したり、害獣が田畑へ侵入したりする原因となる。この場合、裸電線のたるみ（３２）をとる必要がある。
まず、碍子部のキャップ部材（２７）をゆるめると、前記ロで説明のとおり、図９のようになり、碍子部の本体は支柱に締着された状態から挿着した状態へと変る。
その後、図１１に示すように、碍子部（２９）を支柱を軸に矢印のように旋転させると、裸電線のたるみ（３２）がとれるので、ここで、碍子部のキャップ部材（２７）を螺着していくと、前記イで説明のとおり、図８のようになり、碍子部の本体（２５）は支柱に締着する。結果として、裸電線のたるみ（３２）がとれる。
【符号の説明】
【００２２】  １ａ，１ｂ  碍子
２  支柱
３ａ，３ｂ  裸電線
４  上下結線
５  衝撃電圧発生装置
６  出力端子
７  出力線
８  猪
９  地中
１０  アース棒
１１  アース線
１２  アース端子
２０  本考案の電気柵用碍子付支柱
２１  支柱部
２２  先端
２３  開口部
２４  スリット
２５  碍子部の本体
２６  取付部材
２７  キャップ部材
２８Ａ  第１の突起部材
２８Ｂ  第２の突起部材
２９  碍子部
３０  本考案の電気柵用碍子付支柱の頭部
３１  地表
３２  裸電線のたるみ
【図１】
0003175300.tif 000003
【図２】
0003175300.tif 000004
【図３】
0003175300.tif 000005
【図４】
0003175300.tif 000006
【図５】
0003175300.tif 000007
【図６】
0003175300.tif 000008
【図７】
0003175300.tif 000009
【図８】
0003175300.tif 000010
【図９】
0003175300.tif 000011
【図１０】
0003175300.tif 000012
【図１１】
0003175300.tif 000013